【手続補正書】
【提出日】平成19年7月27日(2007.7.27)
【手続補正１】
【補正対象書類名】明細書
【補正対象項目名】特許請求の範囲
【補正方法】変更
【補正の内容】
【特許請求の範囲】
【請求項１】  段差を成す枠体で囲まれた画像表示部と、該画像表示部における画面上の座標位置を指定する座標指定手段とを備えた情報処理装置において、
前記枠体の近傍に設けられた前記画像表示部上の複数の所定領域と、
前記複数の所定領域にそれぞれ対応して設定された、各々が複数の機能項目を含む複数の機能一覧表と、
前記座標指定手段によって前記複数の所定領域のいずれかが座標指定され、引き続き、前記座標指定手段によって座標指定が継続されるとともに、該指定された座標が前記画像表示部のほぼ中央方向に変化したとき、前記座標指定された所定領域に対応する機能一覧表を、前記指定座標の変化量に応じて前記画像表示部に表示する表示手段と
を有することを特徴とする情報処理装置。
【請求項２】  前記座標指定手段は前記画像表示部の画面上に接触する接触子を含み、
前記複数の所定領域は、前記接触子が前記画像表示部の画面上を移動して前記枠体に当接したときに前記接触子が前記画像表示部の画面上で位置する領域を含むことを特徴とする請求項１記載の情報処理装置。
【請求項３】  前記枠体は４角形を成し、
前記複数の所定領域は前記枠体の４辺近傍に位置することを特徴とする請求項２記載の情報処理装置。
【請求項４】  前記枠体は４角形を成し、
前記複数の所定領域は前記枠体の４角近傍に位置することを特徴とする請求項２または請求項３記載の情報処理装置。
【請求項５】  前記情報処理装置は携帯型の情報処理端末であることを特徴とする請求項１乃至請求項４のいずれかに記載の情報処理装置。
【請求項６】  前記情報処理装置が備える複数の情報処理の機能を表す複数の機能項目が、所定の分類の基準に応じて予め分類されて複数のグループを構成し、各グループが前記複数の機能一覧表の各々に対応することを特徴とする請求項１乃至請求項５のいずれかに記載の情報処理装置。
【請求項７】  前記分類の基準は機能の使用頻度であることを特徴とする請求項６記載の情報処理装置。
【請求項８】  前記表示手段は、前記指定座標の変化量から所定方向の変化量の成分を抽出し、該抽出された変化量の成分に応じた引き出し量だけ、前記座標指定された所定領域に対応する機能一覧表の画像を前記所定方向へ引き出して前記画像表示部に表示することを特徴とする請求項１乃至請求項７のいずれかに記載の情報処理装置。
【請求項９】  前記表示手段は、前記座標指定手段による座標指定が解除されたとき、前記抽出された変化量の成分が所定値よりも大きいならば、前記引き出し量だけの前記機能一覧表の引き出し表示を維持することを特徴とする請求項８記載の情報処理装置。
【請求項１０】  前記表示手段は、前記座標指定手段による座標指定が解除されたとき、前記抽出された変化量の成分が前記所定値以下であれば、前記機能一覧表の引き出し表示を停止することを特徴とする請求項８または請求項９記載の情報処理装置。
【請求項１１】  前記表示手段は、前記座標指定された所定領域に対応する機能一覧表において該機能一覧表を構成する全部の機能項目を、前記指定座標の変化量に応じて縦横変倍縮小して前記画像表示部に表示することを特徴とする請求項１乃至請求項１０のいずれかに記載の情報処理装置。
【請求項１２】  前記表示手段は、前記座標指定された所定領域に対応する機能一覧表において該機能一覧表を構成する全部の機能項目を、前記指定座標のいずれの変化量においても前記画像表示部に縮小表示することを特徴とする請求項１乃至請求項１０のいずれかに記載の情報処理装置。
【請求項１３】  前記複数の機能一覧表の各々において、機能一覧表を構成する複数の機能項目に表示の優先度を予め設定し、
前記表示手段は、前記指定座標の変化量に応じて、前記機能一覧表における前記優先度の高い機能項目を優先して前記画像表示部に表示することを特徴とする請求項１乃至請求項１０のいずれかに記載の情報処理装置。
【請求項１４】  前記表示手段は、前記座標指定された所定領域に対応する機能一覧表を、該機能一覧表が主画像の表示を必要としない機能項目を集めたグループであった場合、前記画像表示部の全画面に亘って表示することを特徴とする請求項１乃至請求項１０のいずれかに記載の情報処理装置。
【請求項１５】  前記表示手段は、前記座標指定された所定領域に対応する機能一覧表において、該機能一覧表を構成する複数の機能項目のうちから、前記座標指定手段によって指定された前記所定領域内の座標に対応する機能項目を選択して、前記画像表示部に表示することを特徴とする請求項１乃至請求項１０のいずれかに記載の情報処理装置。
【請求項１６】  段差を成す枠体で囲まれた画像表示部と、該画像表示部における画面上の座標位置を指定する座標指定手段と、前記枠体の近傍に設けられた前記画像表示部上の複数の所定領域と、該複数の所定領域にそれぞれ対応して設定された、各々が複数の機能項目を含む複数の機能一覧表とを備えた情報処理装置に適用される機能一覧表表示方法において、
前記座標指定手段によって前記複数の所定領域のいずれかが座標指定され、引き続き、前記座標指定手段によって座標指定が継続されるとともに、該指定された座標が前記画像表示部のほぼ中央方向に変化することを検出する検出ステップと、
前記検出ステップによって前記指定座標の変化が検出されたとき、前記座標指定された所定領域に対応する機能一覧表を、前記指定座標の変化量に応じて前記画像表示部に表示する表示ステップと
を有することを特徴とする機能一覧表表示方法。
【請求項１７】  段差を成す枠体で囲まれた画像表示部と、該画像表示部における画面上の座標位置を指定する座標指定手段と、前記枠体の近傍に設けられた前記画像表示部上の複数の所定領域と、該複数の所定領域にそれぞれ対応して設定された、各々が複数の機能項目を含む複数の機能一覧表とを備えた情報処理装置に適用される機能一覧表表示方法をプログラムとして記憶した、コンピュータにより読み出し可能な記憶媒体において、
前記機能一覧表表示方法が、
前記座標指定手段によって前記複数の所定領域のいずれかが座標指定され、引き続き、前記座標指定手段によって座標指定が継続されるとともに、該指定された座標が前記画像表示部のほぼ中央方向に変化することを検出する検出ステップと、
前記検出ステップによって前記指定座標の変化が検出されたとき、前記座標指定された所定領域に対応する機能一覧表を、前記指定座標の変化量に応じて前記画像表示部に表示する表示ステップと
を有することを特徴とする記憶媒体。
【手続補正２】
【補正対象書類名】明細書
【補正対象項目名】００１１
【補正方法】変更
【補正の内容】
【００１１】
さらに、請求項１７記載の記憶媒体の発明によれば、段差を成す枠体で囲まれた画像表示部と、該画像表示部における画面上の座標位置を指定する座標指定手段と、前記枠体の近傍に設けられた前記画像表示部上の複数の所定領域と、該複数の所定領域にそれぞれ対応して設定された、各々が複数の機能項目を含む複数の機能一覧表とを備えた情報処理装置に適用される機能一覧表表示方法をプログラムとして記憶した、コンピュータにより読み出し可能な記憶媒体において、前記機能一覧表表示方法が、前記座標指定手段によって前記複数の所定領域のいずれかが座標指定され、引き続き、前記座標指定手段によって座標指定が継続されるとともに、該指定された座標が前記画像表示部のほぼ中央方向に変化することを検出する検出ステップと、前記検出ステップによって前記指定座標の変化が検出されたとき、前記座標指定された所定領域に対応する機能一覧表を、前記指定座標の変化量に応じて前記画像表示部に表示する表示ステップとを有することを特徴とする。